(57)【特許請求の範囲】
【請求項１】
自由先端部型軸流ファンアセンブリにおいて、
半径方向に延びる複数のブレードを有するファンであって、前記複数のブレードはそれぞれ、ブレード先端部と、前縁と、後縁とを有し、前記ファンは、前記後縁における前記ブレード先端部の半径方向範囲の２倍に等しいファン直径Ｄを有する、ファンと、
バレルを有するシュラウドであって、前記バレルは入口を有し、上流端部における前記入口の半径は、下流端部における前記入口の半径よりも大きい、シュラウドと、
を備え、
前記入口の面とファン軸線の方向との間の、子午面における角度は、表面座標に関して非単調に変化しており、前記表面座標は、前記入口の面に沿った距離とともに、上流端部から下流端部まで、前記入口の面の領域にわたって増大しており、
前記バレルは、前記表面座標が小さく増大する間に前記角度が大きく変化するポイントとして定義されるコーナーポイントを有し、前記バレルは、前記入口において３つ以上のコーナーポイントを有する、自由先端部型軸流ファンアセンブリ。
【請求項２】
前記表面座標が増大するに従って、前記入口の面の半径方向座標が減少するかまたは一定のままである、請求項１記載の自由先端部型軸流ファンアセンブリ。
【請求項３】
前記表面座標が増大するに従って、前記入口の面の軸方向座標が増大するかまたはほぼ一定のままである、請求項２記載の自由先端部型軸流ファンアセンブリ。
【請求項４】
前記入口が段部を有し、各段部は、子午面において半径方向に面している軸方向の面と、子午面において軸方向に面している半径方向の面とを有する、請求項１記載の自由先端部型軸流ファンアセンブリ。
【請求項５】
子午面に位置する仮想直線が、非単調に変化する角度の領域に沿って配置された前記入口の面上の２つのポイントにおいて、該２つのポイントの間の前記入口の面と交差することなく接触することができ、前記仮想直線に対して垂直に測定された、前記仮想直線と、前記２つのポイントの間に位置するバレル面における１つのポイントとの間の距離は、前記ファン直径Ｄの０．２％以上である、請求項１記載の自由先端部型軸流ファンアセンブリ。
【請求項６】
前記仮想直線と、前記２つのポイントの間に位置するバレル面における１つのポイントとの間の距離は、前記ファン直径Ｄの０．４％以上である、請求項５記載の自由先端部型軸流ファンアセンブリ。
【請求項７】
前記入口の少なくとも一つの部分が、前記ブレード先端部の少なくとも一つの部分の軸方向位置に配置されており、
前記ブレード先端部の部分の上流端部の軸方向位置における前記入口の半径方向寸法は、前記ブレード先端部の部分の下流端部の軸方向位置における前記入口の半径方向寸法よりも大きく、
前記ブレード先端部の部分の上流端部における前記ブレード先端部の半径方向範囲は、前記ブレード先端部の部分の下流端部における前記ブレード先端部の半径方向範囲よりも大きく、
前記ブレード先端部の前記部分の前記軸方向位置に配置された前記入口の前記部分は、非単調に変化する角度の領域の少なくとも一部を含み、前記非単調に変化する角度の領域の一部の軸方向位置は、前記ブレード先端部の第２の部分を規定している、請求項１記載の自由先端部型軸流ファンアセンブリ。
【請求項８】
前記子午面に位置する仮想直線が、前記非単調に変化する角度の領域において前記ブレード先端部の軸方向範囲内に位置する前記入口の面上の２つのポイントにおいて、該２つのポイントの間の前記入口の面と交差することなく接触することができ、前記仮想直線に対して垂直に測定された、前記仮想直線と、前記２つのポイントの間に位置するバレル面における１つのポイントとの間の距離は、前記ファン直径Ｄの０．２％以上である、請求項７記載の自由先端部型軸流ファンアセンブリ。
【請求項９】
前記仮想直線と、前記２つのポイントの間に位置するバレル面における１つのポイントとの間の距離は、前記ファン直径Ｄの０．４％以上である、請求項８記載の自由先端部型軸流ファンアセンブリ。
【請求項１０】
前記ブレード先端部の全体の軸方向位置が、前記入口の軸方向範囲内にある、請求項７記載の自由先端部型軸流ファンアセンブリ。
【請求項１１】
前記非単調に変化する角度の領域が、少なくとも、前記ブレード先端部の軸方向範囲と重なり合う前記入口の部分の軸方向範囲の最も上流の５０％にわたって延びている、請求項７記載の自由先端部型軸流ファンアセンブリ。
【請求項１２】
前記非単調に変化する角度の領域が、少なくとも、前記ブレード先端部の上流にある前記入口の第２の部分の軸方向範囲の最も下流の５０％にわたって延びている、請求項７記載の自由先端部型軸流ファンアセンブリ。
【請求項１３】
前記ブレード先端部の部分の上流端部における前記入口の半径方向寸法は、前記ブレード先端部の部分の下流端部における前記入口の半径方向寸法よりも、前記ブレード先端部の部分の下流端部における前記入口の半径方向寸法の少なくとも２％だけ大きい、請求項７記載の自由先端部型軸流ファンアセンブリ。
【請求項１４】
前記ブレード先端部の部分の上流端部における前記ブレード先端部の半径方向範囲は、前記ブレード先端部の部分の下流端部における前記ブレード先端部の半径方向範囲よりも、前記ブレード先端部の部分の下流端部における前記ブレード先端部の半径方向範囲の少なくとも２％だけ大きい、請求項７記載の自由先端部型軸流ファンアセンブリ。
【請求項１５】
前記ブレード先端部の通過範囲は、前記入口の部分の形状に合致している、請求項７記載の自由先端部型軸流ファンアセンブリ。
【請求項１６】
前記ブレード先端部の通過範囲に対して垂直に測定された、前記ブレード先端部の前記部分と、前記入口の前記部分との間の最小距離が、前記ファン直径Ｄの０．００５倍よりも大きくかつ前記ファン直径Ｄの０．０２倍よりも小さい、請求項７記載の自由先端部型軸流ファンアセンブリ。
【請求項１７】
前記ブレード先端部の前記第２の部分の通過範囲とファン軸線の方向との間の、子午面における角度は、ブレード先端部前縁からブレード先端部後縁まで前記ブレード先端部の通過範囲に沿った距離とともに増大する先端部座標に関して単調に減少している、請求項７記載の自由先端部型軸流ファンアセンブリ。
【請求項１８】
前記ブレード先端部の通過範囲に対して垂直に測定された、前記ブレード先端部の前記第２の部分の通過範囲と、入口の部分における局所的に最も近いポイントとの間の距離は、前記ブレード先端部の第２の部分に沿って、±３０％以下だけ変化する、請求項１７記載の自由先端部型軸流ファンアセンブリ。
【請求項１９】
前記ブレード先端部の通過範囲に対して垂直に測定された、前記ブレード先端部の前記第２の部分の通過範囲と、入口の前記部分における局所的に最も近いポイントとの間の距離は、前記ブレード先端部の第２の部分に沿って、±２０％以下だけ変化する、請求項１７記載の自由先端部型軸流ファンアセンブリ。
【請求項２０】
前記ブレード先端部の前記第２の部分と、前記入口の前記部分における局所的に最も近いポイントのうちの２つの間の入口の面との間の、前記ブレード先端部の通過範囲に対して垂直に測定された距離は、前記ブレード先端部の前記第２の部分と、前記２つの最も近いポイントとの間の平均距離よりも少なくとも２０％大きい、請求項１７記載の自由先端部型軸流ファンアセンブリ。
【請求項２１】
前記ブレード先端部の前記第２の部分と、前記入口の前記部分における局所的に最も近いポイントのうちの２つの間の入口の面との間の、前記ブレード先端部の通過範囲に対して垂直に測定された距離は、前記ブレード先端部の前記第２の部分と、２つの最も近いポイントとの間の平均距離よりも少なくとも４０％大きい、請求項１７記載の自由先端部型軸流ファンアセンブリ。
【請求項２２】
前記ブレード先端部の通過範囲に対して垂直に測定された、前記ブレード先端部の前記第２の部分と、前記入口の前記部分における最も近いポイントとの間の最小距離が、前記ファン直径Ｄの０．００５倍よりも大きくかつ前記ファン直径Ｄの０．０２倍よりも小さい、請求項１７記載の自由先端部型軸流ファンアセンブリ。
【請求項２３】
前記ブレード先端部の第２の部分の通過範囲が、前記入口の部分における前記ブレード先端部に局所的に最も近いポイントを通過する、子午面における、包絡曲線に合致する、請求項７記載の自由先端部型軸流ファンアセンブリ。
【請求項２４】
前記包絡曲線は滑らかである、請求項２３記載の自由先端部型軸流ファンアセンブリ。
【請求項２５】
前記包絡曲線の軸方向および半径方向の座標が、それぞれほぼスプライン曲線の値として与えられており、スプライン曲線は以下の形式で決定される：
１）胴回り座標を生成し、該胴回り座標は、ピースごとの線形曲線をたどり、該線形曲線の頂点は前記ポイントであり、
２）前記頂点に配置されたノットを備える、前記胴回り座標に関する軸方向および半径方向の座標の三次スプラインを生成し、
３）前記頂点の間にある前記胴回り座標の値において前記スプラインを評価する、請求項２３記載の自由先端部型軸流ファンアセンブリ。
【請求項２６】
前記包絡曲線に対して垂直に測定された、前記ブレード先端部の第２の部分の通過範囲と、前記包絡曲線との間の距離は、前記ブレード先端部の第２の部分範囲にわたって、±３０％以下だけ変化する、請求項２３記載の自由先端部型軸流ファンアセンブリ。
【請求項２７】
前記包絡曲線に対して垂直に測定された、前記ブレード先端部の第２の部分の通過範囲と、前記包絡曲線との間の距離は、前記ブレード先端部の第２の部分範囲にわたって、±２０％以下だけ変化する、請求項２３記載の自由先端部型軸流ファンアセンブリ。
【請求項２８】
前記ブレード先端部の第２の部分と、最も近いポイントのうちの２つの間のポイントにおける入口の面との間の、前記ブレード先端部の通過範囲に対して垂直に測定された距離は、前記ブレード先端部の第２の部分と、前記包絡曲線との間の局所的な距離よりも少なくとも２０％大きい、請求項２３記載の自由先端部型軸流ファンアセンブリ。
【請求項２９】
前記ブレード先端部の第２の部分と、最も近いポイントのうちの２つの間のポイントにおける入口の面との間の、前記ブレード先端部の通過範囲に対して垂直に測定された距離は、前記ブレード先端部の第２の部分と、前記包絡曲線との間の局所的な距離よりも少なくとも４０％大きい、請求項２３記載の自由先端部型軸流ファンアセンブリ。
【請求項３０】
前記包絡曲線に対して垂直に測定された、前記ブレード先端部の第２の部分の通過範囲と、前記包絡曲線との間の最小距離が、前記ファン直径Ｄの０．００５倍よりも大きくかつ前記ファン直径Ｄの０．０２倍よりも小さい、請求項２３記載の自由先端部型軸流ファンアセンブリ。
【請求項３１】
前記包絡曲線は、前記ブレード先端部が当該包絡曲線に合致する領域において、前記ブレード先端部に局所的に最も近い、前記入口における少なくとも３つのポイントを通過する、請求項２３記載の自由先端部型軸流ファンアセンブリ。
【請求項３２】
前記入口の前記部分の面は、軸対称である、請求項７記載の自由先端部型軸流ファンアセンブリ。
【請求項３３】
前記シュラウドは、プラスチックの射出成形された部材である、請求項１記載の自由先端部型軸流ファンアセンブリ。
【請求項３４】
前記シュラウドは、ファンアセンブリの上流に位置決めされた熱交換器にファンアセンブリを取り付けることを容易にする特徴を有する、請求項１記載の自由先端部型軸流ファンアセンブリ。
【請求項３５】
前記シュラウドは、前記バレルの上流のプレナムを有し、該プレナムによってカバーされた熱交換器面の領域は、ファンディスク領域の少なくとも１．５倍である、請求項３４記載の自由先端部型軸流ファンアセンブリ。
【請求項３６】
前記角度は、合計で１８０度を超える方位角の１つまたは複数の範囲にわたって位置決めされた複数の子午面において非単調に変化する、請求項１記載の自由先端部型軸流ファンアセンブリ。
【発明の詳細な説明】
【技術分野】
【０００１】
関連出願とのクロスリファレンス
本願は、２０１５年４月１５日に出願された米国仮特許出願第６２／１４７６８６号明細書の優先権の利益を主張する。当該米国仮特許出願の内容全体は、引用したことによって本明細書に組み込まれるものとする。
【０００２】
背景
本発明は、概して、用途の中でも特に自動車エンジン冷却ファンとして使用されてもよい自由先端部型軸流ファンに関する。
【０００３】
エンジン冷却ファンは、空気を熱交換器のセットに通過させるために自動車において使用される。熱交換器は、通常、内燃機関を冷却するためのラジエータと、エアコンディショナ凝縮器と、恐らく付加的な熱交換器とを有する。これらのファンは、概して、シュラウドに取り付けられている。シュラウドは、空気を熱交換器とファンとの間に方向付け、再循環を制御する。通常、これらのファンは、シュラウドによって支持された電気モータによって動力が与えられる。
【０００４】
ファンは、通常、制限された機械的特性を有する材料であるプラスチックにおいて射出成形されている。プラスチックファンは、高温において回転荷重および空力荷重に曝されるとクリープたわみを生じる。このたわみは、設計プロセスにおいて補償されなければならない。
【０００５】
幾つかのエンジン冷却ファンは、全てのブレードの先端部を接続する、回転する先端部バンドを有するが、多くは、自由先端部である。すなわち、ブレードの先端部は、互いに接続されていない。自由先端部型ファンは、バンド付きファンと比較したとき複数の利点を有する。自由先端部型ファンは、より低いコスト、より小さな重量、よりよいバランス、そして、低減された慣性による利点、例えば、より低い接続不均衡、より低い歳差トルク、動力が停止されたときのより早いコーストダウンを有することができる。
【０００６】
多くの場合、自由先端部型ファンは、一定半径の先端部形状を有し、かつシュラウドバレルにおいて作動するように設計されている。シュラウドバレルは、ファンブレードとの最も近い間隙の領域において円筒状である。その他のケースでは、先端部半径は一定ではない。例えば、米国特許第６５９５７４４号明細書には、自由先端部型エンジン冷却ファンが記載されている。この場合、ブレード先端部は、フレア状のシュラウドバレルに合致するように成形されている。この構成は、ブレード先端部をシュラウドに近接して作動させながら、バレルへの入口における流れ剥離を減じる。
【０００７】
自由先端部型ファンは、ブレード先端部とシュラウドバレルとの間に先端部間隙またはランニングクリアランスを有するように設計されている。この先端部間隙は、製造公差および最大たわみの両方を許容するように十分でなければならない。最大たわみは、ファンアセンブリの耐用寿命にわたって生じ得る。実用上、この間隙は、概して、ファン直径の少なくとも０．５％であるが、２％未満であり、より典型的には、ファン直径の約１％である。
【０００８】
先端部間隙の存在は、性能に複数の不利な効果を有する。１つの効果は、間隙が増大すると、ファンが、任意の作動ポイントを達成するためにより高速で作動しなければならないということである。これは、ブレード荷重、すなわちファンブレードの正圧面と負圧面との間の差圧が、間隙の近傍において減じられることによる。別の効果は、特にシステム抵抗が高い場合に、ファン効率が減じられ、ファン騒音が増大するということである。これらの不利な効果は、自由先端部型ファンの適用を、システム抵抗が比較的低い用途に限定する可能性がある。自由先端部型ファンの適用性を高めるために、先端部間隙によって生ぜしめられる不利な性能効果を克服するための複数の試みがなされてきた。
【０００９】
１つのアプローチは、ファン荷重における先端部間隙の効果を打ち消すようにファンを設計することである。米国特許第９００４８６０号明細書として発行された米国特許出願第１３／０３５４４０号明細書には、先端部間隙の存在において、改良された先端部荷重を有するファンが記載されている。このファンは、ファン性能を高めることができるが、ファンの効率および騒音は、間隙によってまだ妥協されている。
【００１０】
その他の努力は、ブレード先端部のたわみを減じ、これにより、干渉のリスクなしに先端部間隙をより小さくすることができるように、なされてきた。米国特許第６５９５７４４号明細書には、斜めの自由先端部型ファンの軸方向たわみを減じることができるレーキ角分配が記載されている。米国特許第８１３７０７０号明細書には、半径方向たわみを最小限に減じる、前縁および後縁のスキュー分配が記載されている。
【００１１】
別のアプローチは、任意のサイズの間隙を通る空気の流れが最小限にされるようにファンの先端部を設計することである。米国特許出願公開第２０１４／０２７１１７２号明細書として公開された米国特許出願第１３／９６４８７２号明細書には、局所的に厚くなった先端部を備えるファンが記載されている。局所的に厚くなった先端部は、厚くなっていない先端部セクションを備えるファンと比較して、高められた効率および減じられた騒音を実現する。
【００１２】
過去の努力は、自由先端部型ファンの効率を高めかつ騒音を減じたが、特に高圧の作動ポイントにおいてより静粛な自由先端部型ファンアセンブリがいまだに必要とされている。これらの作動ポイントにおいて、各ブレードによって発生された先端渦は、当該ブレード、シュラウドバレルおよび／または後続のブレードと相互作用し得る。この相互作用は、より低圧の作動ポイントにおける騒音と比較して、騒音の著しい増大を生じる可能性がある。
【００１３】
概要
１つの態様において、本発明は、ファンおよびシュラウドを含む自由先端部型軸流ファンアセンブリを提供し、ファンは、半径方向に延びる複数のブレードを有し、複数のブレードはそれぞれ、ブレード先端部と、前縁と、後縁とを有しており、ファンは、後縁におけるブレード先端部の半径方向範囲の２倍に等しい直径Ｄを有する。シュラウドはバレルを有し、バレルは入口を有し、上流端部における入口の半径は、下流端部における入口の半径よりも大きい。ファンアセンブリは、入口の面とファン軸線の方向との間の、子午面における角度が、表面座標に関して非単調に変化し、表面座標は、上流端部から下流端部までの入口の面に沿って距離に応じて増大している。
【００１４】
発明の１つの態様において、自由先端部型軸流ファンは、さらに、表面座標が増大するに従って入口面の半径方向座標が減少するかまたは一定のままであることを特徴とする。
【００１５】
発明の別の態様では、自由先端部型軸流ファンアセンブリは、さらに、表面座標が増大するに従って入口面の軸方向座標が増大するかまたはほぼ一定のままであることを特徴とする。
【００１６】
発明の別の態様では、自由先端部型軸流ファンアセンブリは、さらに、入口が段部を有し、各段部が、ほぼ軸方向の（子午面において半径方向に面している）面と、ほぼ半径方向の（子午面において軸方向に面している）面とを有することを特徴とする。
【００１７】
発明の別の態様では、自由先端部型軸流ファンアセンブリは、さらに、子午面に位置する仮想直線が、非単調に変化する角度の領域に沿って配置された２つのポイントにおいて、ポイントの間の面と交差することなく入口面に接触することができ、仮想線に対して垂直に測定された、仮想線と、前記２つのポイントの間に位置するバレル面におけるポイントとの間の距離は、ファン直径の０．２％以上であることを特徴とする。
【００１８】
発明の別の態様では、距離は、ファン直径の０．４％以上である。
【００１９】
発明の別の態様において、自由先端部型軸流ファンアセンブリは、さらに、少なくとも入口の一部が、少なくともブレード先端部の一部の軸方向位置に配置されており、部分の上流端部の軸方向位置における入口の半径方向寸法は、部分の下流端部の軸方向位置における入口の半径方向寸法よりも大きく、部分の上流端部におけるブレード先端部の半径方向範囲は、部分の下流端部におけるブレード先端部の半径方向範囲よりも大きく、ブレード先端部の部分の軸方向位置に配置された入口の部分は、非単調に変化する角度の領域の少なくとも一部を含み、非単調に変化する角度の領域の部分の軸方向位置は、ブレード先端部の第２の部分を規定していることを特徴とする。
【００２０】
発明の別の態様では、自由先端部型軸流ファンアセンブリは、さらに、子午面に位置する仮想直線が、非単調に変化する角度の領域に位置しかつブレード先端部の軸方向範囲内に位置する２つのポイントにおいて、当該ポイントの間の面と交差することなく入口面と接触することができ、仮想線に対して垂直に測定された、仮想線と、前記２つのポイントの間に位置するバレル面におけるポイントとの間の距離は、ファン直径の０．２％以上であることを特徴とする。
【００２１】
発明の別の態様では、自由先端部型軸流ファンアセンブリは、さらに、距離が、ファン直径の０．４％以上であることを特徴とする。
【００２２】
発明の別の態様では、自由先端部型軸流ファンアセンブリは、さらに、ブレード先端部全体の軸方向位置が入口の軸方向範囲内にあることを特徴とする。
【００２３】
発明の別の態様では、自由先端部型軸流ファンアセンブリは、さらに、非単調に変化する角度の領域が、少なくとも、ブレード先端部の軸方向範囲と重なり合う入口の部分の軸方向範囲の最も上流の５０％にわたって延びていることを特徴とする。
【００２４】
発明の別の態様では、自由先端部型軸流ファンアセンブリは、さらに、非単調に変化する角度の領域が、少なくとも、ブレード先端部の上流にある入口の第２の部分の軸方向範囲の最も下流の５０％にわたって延びていることを特徴とする。
【００２５】
発明の別の態様では、自由先端部型軸流ファンアセンブリは、さらに、部分の上流端部における入口の半径方向寸法は、部分の下流端部における入口の半径方向寸法よりも、部分の下流端部における入口の半径方向寸法の少なくとも２％だけ大きいことを特徴とする。
【００２６】
発明の別の態様では、自由先端部型軸流ファンアセンブリは、さらに、部分の上流端部におけるブレード先端部の半径方向範囲は、部分の下流端部におけるブレード先端部の半径方向範囲よりも、部分の下流端部におけるブレード先端部の半径方向範囲の少なくとも２％だけ大きいことを特徴とする。
【００２７】
発明の別の態様では、自由先端部型軸流ファンアセンブリは、さらに、ブレード先端部の通過範囲は、前記入口部分の形状に合致していることを特徴とする。
【００２８】
発明の別の態様では、自由先端部型軸流ファンアセンブリは、さらに、ブレード先端部の通過範囲に対して垂直に測定された、ブレード先端部の部分と、入口の部分との間の最小距離が、ファン直径Ｄの０．００５倍よりも大きくかつファン直径Ｄの０．０２倍よりも小さいことを特徴とする。
【００２９】
発明の別の態様では、自由先端部型軸流ファンアセンブリは、さらに、ブレード先端部の第２の部分の通過範囲とファン軸線の方向との間の、子午面における角度は、ブレード先端部前縁からブレード先端部後縁までブレード先端部の通過範囲に沿った距離とともに増大する先端部座標に関して単調に減少していることを特徴とする。
【００３０】
発明の別の態様では、自由先端部型軸流ファンアセンブリは、さらに、ブレード先端部通過範囲に対して垂直に測定された、ブレード先端部の第２の部分の通過範囲と、入口の部分における局所的に最も近いポイントとの間の距離は、ブレード先端部の第２の部分に沿って、±３０％以下、または±２０％以下だけ変化することを特徴とする。
【００３１】
発明の別の態様では、自由先端部型軸流ファンアセンブリは、さらに、ブレード先端部の第２の部分と、最も近いポイントのうちの２つの間の入口面との間の、ブレード先端部通過範囲に対して垂直に測定された距離は、ブレード先端部の第２の部分と、２つの最も近いポイントとの間の平均距離よりも少なくとも２０％大きいことを特徴とする。
【００３２】
発明の別の態様では、自由先端部型軸流ファンアセンブリは、さらに、ブレード先端部の第２の部分と、最も近いポイントのうちの２つの間の入口面との間の、ブレード先端部通過範囲に対して垂直に測定された距離は、ブレード先端部の第２の部分と、２つの最も近いポイントとの間の平均距離よりも少なくとも４０％大きいことを特徴とする。
【００３３】
発明の別の態様では、自由先端部型軸流ファンアセンブリは、さらに、ブレード先端部の通過範囲に対して垂直に測定された、ブレード先端部の第２の部分と、入口の部分における最も近いポイントとの間の最小距離が、ファン直径Ｄの０．００５倍よりも大きくかつファン直径Ｄの０．０２倍よりも小さいことを特徴とする。
【００３４】
発明の別の態様では、自由先端部型軸流ファンアセンブリは、さらに、ブレード先端部の第２の部分の通過範囲が、入口の部分におけるブレード先端部に局所的に最も近いポイントを通過する、子午面における包絡曲線に合致していることを特徴とする。
【００３５】
発明の別の態様では、自由先端部型軸流ファンアセンブリは、さらに、包絡曲線が滑らかであることを特徴とする。
【００３６】
発明の別の態様では、自由先端部型軸流ファンアセンブリは、さらに、包絡曲線の軸方向および半径方向の座標が、それぞれほぼスプライン曲線の値として与えられており、スプライン曲線は以下の形式で決定される：
１）胴回り座標を生成し、胴回り座標は、区分的線形曲線をたどり、その頂点は、包絡曲線が通過する入口におけるポイントであり、
２）胴回り座標に関する軸方向および半径方向の座標の三次スプラインを生成し、ノットが頂点に配置されており、
３）頂点の間にある胴回り座標の値においてスプラインを評価する。
【００３７】
発明の別の態様では、自由先端部型軸流ファンアセンブリは、さらに、包絡曲線に対して垂直に測定された、ブレード先端部の第２の部分の通過範囲と、包絡曲線との間の距離は、ブレード先端部の第２の部分の範囲にわたって、±３０％以下、または±２０％以下だけ変化することを特徴とする。
【００３８】
発明の別の態様では、自由先端部型軸流ファンアセンブリは、さらに、ブレード先端部の第２の部分と、最も近いポイントのうちの２つの間のポイントにおける入口面との間の、ブレード先端部の通過範囲に対して垂直に測定された距離は、ブレード先端部の第２の部分と、包絡曲線との間の局所的距離よりも少なくとも２０％大きいことを特徴とする。
【００３９】
発明の別の態様では、自由先端部型軸流ファンアセンブリは、さらに、ブレード先端部の第２の部分と、最も近いポイントのうちの２つの間のポイントにおける入口面との間の、ブレード先端部の通過範囲に対して垂直に測定された距離は、ブレード先端部の第２の部分と、包絡曲線との間の局所的距離よりも少なくとも４０％大きいことを特徴とする。
【００４０】
発明の別の態様では、自由先端部型軸流ファンアセンブリは、さらに、包絡曲線に対して垂直に測定された、ブレード先端部の第２の部分の通過範囲と、包絡曲線との間の最小距離が、ファン直径Ｄの０．００５倍よりも大きくかつファン直径Ｄの０．０２倍よりも小さいことを特徴とする。
【００４１】
発明の別の態様では、自由先端部型軸流ファンアセンブリは、さらに、包絡曲線が、ブレード先端部が当該包絡曲線に合致する領域において、ブレード先端部に局所的に最も近い、入口における少なくとも３つのポイントを通過することを特徴とする。
【００４２】
発明の別の態様では、自由先端部型軸流ファンアセンブリは、さらに、入口部分の面が軸対称であることを特徴とする。
【００４３】
発明の別の態様では、自由先端部型軸流ファンアセンブリは、さらに、シュラウドが、プラスチックの射出成形された部材であることを特徴とする。
【００４４】
発明の別の態様では、自由先端部型軸流ファンアセンブリは、さらに、シュラウドが、ファンアセンブリの上流に位置決めされた熱交換器にファンアセンブリを取り付けることを容易にする特徴を有することを特徴とする。
【００４５】
発明の別の態様では、自由先端部型軸流ファンアセンブリは、さらに、シュラウドが、上流の熱交換器の背後に取り付けられたバレルの上流のプレナムを有しており、そこでは、プレナムによってカバーされた熱交換器面の領域は、ファンディスク領域の少なくとも１．５倍であることを特徴とする。
【００４６】
発明の別の態様では、自由先端部型軸流ファンアセンブリは、さらに、角度は、合計で１８０度よりも大きい方位角の１つまたは複数の範囲にわたって位置決めされた複数の子午面において非単調に変化することを特徴とする。
【００４７】
発明のその他の態様は、詳細な説明および添付図面の考慮によって明らかになるであろう。
【図面の簡単な説明】
【００４８】
【図１ａ】フレア状のシュラウドバレルの形状に合致するブレード先端部を示す、従来の自由先端部型軸流ファンアセンブリの概略図である。自由先端部型軸流ファンアセンブリは、エンジン冷却ファンアセンブリとして構成されている。
【図１ｂ】図１ａのシュラウドバレルと、各ブレードの最も外側の部分の通過領域との、子午面における詳細な概略図である。
【図１ｃ】前縁および後縁と、ブレード先端部とを示す、ファンの上流から見た図である。
【図２ａ】複数の段部を備える入口を有するシュラウドバレルと、段付きバレルに合致するファンブレード先端部とを備える、本願の１つの実施の形態による自由先端部型軸流ファンアセンブリの概略図である。
【図２ｂ】図２ａのシュラウドバレルの子午面における詳細な概略図である。
【図２ｃ】図２ａのシュラウドバレルと、各ブレードの外側部分によって通過される領域との、子午面における詳細な概略図である。
【図３ａ】複数の段部を備える入口を有するシュラウドバレルと、バレル上の局所的に最も近いポイントを通過する滑らかな包絡曲線に合致するファンブレード先端部とを備える、本願の１つの実施の形態による自由先端部型軸流ファンアセンブリの概略図である。
【図３ｂ】図３ａのシュラウドバレルと、各ブレードの最も外側の部分によって通過される領域との、子午面における詳細な概略図である。
【図３ｃ】矩形のシュラウドプレナムを示す、図３ａの自由先端部型軸流ファンアセンブリの（上流から下流を見た）平面図である。
【図４ａ】ブレード先端部の軸方向範囲が、入口における最も近いポイントの包絡曲線を規定する楕円の軸方向半軸より小さい、シュラウドバレルと、ブレードの外側部分の通過領域との、子午面における詳細な概略図である。
【図４ｂ】ブレード先端部の軸方向範囲が、入口における最も近いポイントの包絡曲線を規定する楕円の軸方向半軸より小さく、バレルが、ブレードの後縁の近くで終わっている、シュラウドバレルと、ブレードの外側部分の通過領域との、子午面における詳細な概略図である。
【図４ｃ】ブレード先端部の軸方向範囲が、入口における最も近いポイントの包絡曲線を規定する楕円の軸方向半軸より小さく、ファンが、先端部後縁が楕円の半径方向半軸に配置されるように位置決めされている、シュラウドバレルと、ブレードの外側部分の通過領域との、子午面における詳細な概略図である。
【図５ａ】図示されていないブレード先端部に最も近い入口におけるポイントを示す、段付きシュラウドバレルの子午面図である。
【図５ｂ】ピースごとの線形包絡曲線を示し、かつ胴回りパラメータを規定する、段付きシュラウドバレルの子午面図である。
【図５ｃ】その座標が三次スプライン関数によって規定されている滑らかな包絡曲線を示す、段付きシュラウドバレルの子午面図である。
【図５ｄ】図５ｃの滑らかな包絡曲線からずれた曲線を示す、段付きシュラウドバレルの子午面図である。
【図５ｅ】ブレード先端部の通過範囲が、図５ｄのずれた曲線をたどる、段付きシュラウドバレルと、ブレードによって通過される領域との、子午面図である。
【図６ａ】段部のほぼ軸方向の面に抜き勾配が存在する、段付きシュラウドバレルと、ブレードの通過領域との、子午面図である。
【図６ｂ】段部の外側の角が半径づけられている、段付きシュラウドバレルと、ブレードの通過領域との、子午面図である。
【図６ｃ】段部の内側の角が半径づけられている、段付きシュラウドバレルと、ブレードの通過領域との、子午面図である。
【図６ｄ】バレルへの入口が軸方向溝を有する、シュラウドバレルと、ブレードの通過範囲との、子午面図である。
【図６ｅ】バレルへの入口が、連続的でない段部を有する、シュラウドバレルと、ブレードの通過範囲との、子午面図である。
【図６ｆ】バレルへの入口が、軸方向の面と、半径方向に対して角度づけられた面とを備える段部を有する、シュラウドバレルと、ブレードの通過領域との、子午面図である。
【図７ａ】段部の深さがバレルの厚さと同等であり、バレルの外面も段付けされている、段付きシュラウドバレルの両側を示している。
【図７ｂ】外側段部が半径づけられている、段付きシュラウドバレルの両側を示している。
【図７ｃ】段部の深さが、バレルの厚さと比較して小さく、バレルの外面が滑らかである、段付きシュラウドバレルの両側を示している。
【図８ａ】米国特許出願公開第２０１４／０２７１１７２号明細書によるファンの負圧面と、本願の１つの実施の形態による段付きバレル入口との、軸方向図である。
【図８ｂ】図８ａに示したように、ブレード先端部における最大厚さのポイントに対応する角度で、ブレードおよびバレル入口を通る子午面セクションである。
【図８ｃ】図８ｂの先端部領域の詳細図である。
【図９ａ】段部が軸対称である、図８の自由端部型ファンおよび段付きバレル入口の透視図である。
【図９ｂ】図８の自由端部型ファンと、段部が非軸対称であり、らせん状である段付きバレル入口との、透視図である。
【図１０】滑らかなフレア状のシュラウドバレルを特徴とする従来のファンアセンブリの性能と比較した、本願の１つの実施の形態によるファンアセンブリの性能のプロットである。
【図１１】図１０のデータと同じデータを示しているが、無次元変数を使用している。
【図１２ａ】段部が方位角的に不連続である、米国特許出願公開第２０１４／０２７１１７２号明細書によるファンの負圧面と、段付きバレル入口との、軸方向図である。
【図１２ｂ】セクションが段づけられている角度でそのセクションがシュラウドを通過している、ブレード先端部における最大厚さのポイントに対応する角度でブレードおよびバレル入口を通る、図１２ａに示された、子午面セクションである。
【図１２ｃ】図１２ａに示されたシュラウドバレル入口の一部の透視図である。
【図１３ａ】米国特許出願公開第２０１４／０２７１１７２号明細書によるファンの負圧面と、円形のポケットの互い違いの列を有するバレル入口との軸方向図である。
【図１３ｂ】このセクションが２つの入口ポケットを通過している、ブレード先端部における最大厚さのポイントに対応する角度でブレードおよびバレル入口を通る、図１３ａに示された、子午面セクションである。
【図１３ｃ】セクションが１つの入口ポケットを通過するような角度でブレードおよびバレル入口を通る子午面セクションである。
【図１３ｄ】図１３ａに示されたシュラウドバレル入口の一部の透視図である。
【００４９】
詳細な説明
発明のあらゆる実施の形態が詳細に説明される前に、発明はその適用において、以下の説明に示されたまたは以下の図面に例示された構造の詳細および構成部材の配列に限定されないことが理解されるべきである。発明のその他の実施の形態が可能であり、発明は、様々な形式で実現または実施することができる。
【００５０】
図１ａは、従来の自由先端部型軸流ファンアセンブリ１を示している。例示した構成では、自由先端部型軸流ファンアセンブリ１は、少なくとも１つの熱交換器５に隣接して取り付けられたエンジン冷却ファンアセンブリである。この構成では、熱交換器５は、内燃機関（図示せず）を冷却するラジエータ５１を有する。択一的に動力が供給される車両では、ファンアセンブリ１は、バッテリ、電気モータなどを冷却するために１つまたは複数の熱交換器に関連して使用することができる。シュラウド２は、冷却空気をラジエータ５１からファン４へ案内し、漏れを制御するためにファンを包囲しており、モータ３のための支持２８を提供している。
【００５１】
シュラウド２は、プレナム壁２１と、側壁２３とを有し、これらは一緒にプレナム２０を包囲している。プレナム壁２１は、小さな円錐角を有するように示されているが、その他の場合には、ファン軸線６に対してほぼ垂直な平面に位置することができる。側壁２３は、ファン軸線６に対して平行に示されているが、多くの場合、製造性を高めるために抜き勾配を有する。シュラウド２は、さらに、ファン４を包囲するバレル２２を有する。バレル２２は、滑らかなフレア状の入口２４と、フレア状の入口２４の下流の円筒状部分２６とを有する。シュラウド入口へのエントランスの（軸線６から測定された）半径方向座標Ｒ1は、シュラウド入口が円筒状部分２６に接続するところの出口の半径方向座標Ｒ2よりも大きい。円筒状と呼んでいるが、部分２６は、部分２６が軸線６と完全に平行ではないように、製造性のために抜き勾配を備えて形成されていてもよい。いずれの場合にも、部分２６は、フレア状の入口２４を規定する形状を有する部分から区別可能である。
【００５２】
ファン４は、軸線６を中心に回転し、ハブ４１と、概して半径方向に延びる複数のブレード４０とを有している。図１ａは、ファンが回転するときにこれらのブレードによって通過される、子午面（ファン軸線を含む平面）における領域を示している。ハブ４１に隣接した各ブレード４０の端部はブレード根元部４３であり、各ブレード４０の最も外側の端部はブレード先端部４６である。ブレード先端部４６は、シュラウドバレル２２に合致している。言い換えれば、ブレード先端部４６は、シュラウドバレル２２からずれているが、シュラウドバレル２２によって規定された輪郭に従うまたは一致する形状を有している。ブレード先端部の前縁の半径方向座標ＲLEは、ブレード先端部の後縁の半径方向座標ＲTEよりも大きい。公称ファン半径Ｒは、ＲTEと等しいとされており、ファン直径Ｄは、Ｒの２倍に等しい。先端部間隙７は、ブレード先端部４６とシュラウドバレル２２との間の最小ランニングクリアランスを提供し、これは０．００５Ｄ〜０．０２Ｄである。
【００５３】
図１ｂは、図１ａのシュラウドバレル２２と、各ブレード４０の最も外側の部分によって通過される領域との、子午面における詳細な概略図である。フレア状の入口は、ほぼ楕円形であり、ブレード先端部４６の通過される範囲は、バレル２２からほぼ一定の距離“ｇ”だけずれた滑らかな曲線である。この距離は、ブレード先端部４６とシュラウドバレル２２との間の間隙７の幅を表している。
【００５４】
図１ｂは、入口面座標“ｓ”も示しており、入口面座標は、入口がプレナム壁２１につながるところではゼロであり、入口プロフィルに沿った距離とともに線形に増大している。図１ｂに示されたフレア状入口は楕円形であるが、その他の従来のフレア状シュラウドは、当該形状とはいくぶん異なることができる。全てのケースにおいて、フレア状入口２４の面と、ファン軸線６の方向との間の、子午面における角度“θ”は、“ｓ”が増大するにつれて単調に減少している。
【００５５】
図１ｂはほぼ一定の間隙幅を示しているが、その他の場合には、間隙は、前縁から後縁まで一定ではない。特に、時には、ブレード先端部とシュラウドとの間の最小軸方向距離が、一定の間隙幅の場合よりも大きくなるように設計される。これは、ブレード先端部の予測される軸方向たわみが、予測される半径方向たわみよりも大きい場合に特に有利である。
【００５６】
図１ａおよび図１ｂは、ブレード先端部４６の後縁ＴＥの下流へある程度の距離だけ延びたバレル２２を示しているが、バレル２２は、時には、ブレード先端部４６の後縁ＴＥのすぐ近くで終わっている。これは、多くの場合、下流のモータ支持構造２８が存在しないバレル周囲に沿った位置における場合である。これらの位置において、ブレード先端４６の周囲の再循環を制限するために必要とされるよりもさらにバレル２２を延長させることに対して空力的にほとんどまたは全く利点がない。幾つかの場合、良好な性能は、ブレード先端部の後縁ＴＥのいくぶん上流において終わったバレル２２によって達成することもできる。
【００５７】
図１ａおよび図１ｂは、フレア状の入口の軸方向範囲とほぼ等しいブレード先端部４６の軸方向範囲を示しているが、これは、時にはそうではない。幾つかの場合、ブレード先端部は、入口の端部を超えて、バレル２２のほぼ円筒状の部分へ延びている。その他の場合、ブレード先端部４６の後縁ＴＥは、ファン軸線６に対するフレア状の入口の角度がまだゼロではない軸方向位置にある。楕円形のシュラウド形状の場合、これは、半径方向の半軸“ｂ”の上流の位置に対応する。
【００５８】
幾つかの場合、ブレード先端部の前縁は、入口へのエントランスの前方に位置しており、その他の場合には、入口へのエントランスの十分に内側に位置している。
【００５９】
図１ｃは、図１ａおよび図１ｂに示したように、フレア状シュラウドに合致するブレード先端部を備える、従来の自由先端部型ファン４の軸方向投影図である。回転は時計回りであり、ファンの前縁ＬＥと後縁ＴＥとが示されている。前縁におけるブレード先端部の半径ＲLEは、後縁における半径ＲTEよりも大きい。
【００６０】
図２ａは、本願の１つの実施の形態による、自由先端部型軸流ファンアセンブリを示している。図１ａの従来のファンアセンブリのように、バレル２２は、ファン軸線６に対する入口面の半径方向座標が、入口へのエントランスにおいて、出口におけるよりも大きいことを特徴とする入口２４２を有する。これにより、入口は、軸流方向Ｆにおいて減少する断面積の領域を規定している。この例において、ブレード先端部の前縁の軸方向位置における入口の半径方向座標Ｒ1は、ブレード先端部の後縁の軸方向位置における入口の半径方向座標Ｒ2よりも、Ｒ2の約６．８％だけ大きい。図１ａのエンジン冷却ファンアセンブリとは異なり、入口２４２は滑らかなフレア状ではなく、その代わり、段状であり、各段部は、子午面において、ほぼ半径方向の（軸方向に面した）面と、ほぼ軸方向の（半径方向に面した）面とを有する。
【００６１】
図２ａは、段部に合致するブレード先端部４６を有するファン４を示している。ブレード先端部の前縁の（軸線６から測定された）半径方向範囲ＲLEは、ブレード先端部の後縁の半径方向範囲ＲTEよりも大きい。この例では、ＲLEは、ＲTEの約６．９％だけＲTEを超過している。先端部間隙７は、ブレード先端部とシュラウドバレルとの間にランニングクリアランスを提供し、このランニングクリアランスは、この例では、ほぼ一定であり、ファン直径Ｄの１．０％に等しい。
【００６２】
図２ｂは、図２ａのシュラウドバレル２２の子午面における詳細な概略図である。バレル２２は、段状の入口２４２と、ほぼ円筒状の部分２６とを有する。入口２４２の上流には、プレナム壁部２１が配置されている。面座標“ｓ”は、入口がプレナム壁部２１につながるポイントにおいてはゼロであり、入口が円筒状部分２６につながるまで、段状の入口面に沿った距離とともに線形に増大する。
【００６３】
図２ｂに示された入口の場合、面の半径方向座標は単調に減少している。すなわち、面の半径方向座標は、“ｓ”が増大するにつれて、減少するかまたは一定のままである。この特徴により、入口は、単純な射出成形機によって射出成形されたプラスチックから形成することができる。
【００６４】
図２ｂに示された段状の入口は、付加的な特徴を有する。つまり、入口面の軸方向座標（正の下流）は、面座標“ｓ”が増大すると、単調に増大する、すなわち、増大するかほぼ一定にとどまる。この特徴は、特に射出成形機を設計するときに好ましい。
【００６５】
図２ｂに“θ”として示された、入口面とファン軸線との間の角度は、入口へのエントランスにおいては約９０度であり、バレルの円筒状部分につながる、入口からの出口においては約０度であるが、図２ａのプレナム壁２１において示したように円錐角（例えば５度）を提供することによって、変化形が生じてもよい。図１の滑らかなフレア状の入口とは異なり、“ｓ”が増大すると、角度“θ”は、入口における値から、出口における値まで非単調な形式で減少し、段部のほぼ半径方向の面に沿った約９０度から、段部のほぼ軸方向の面に沿ったほぼ０度まで変化する。子午面に沿った断面図で見ると、入口面のスロープは、ポイント“Ａ”とポイント“Ｂ”との間で不連続であり（図２ｂ参照）、これらのポイントの間には、角度“θ”が非単調に変化する領域が規定されている。非単調に変化する角度“θ”の領域では、複数の段部が入口面に規定されており、各段部は、別々の半径方向座標における２つの入口面セグメントを接続している。
【００６６】
図２ｂは、入口面と交差することなく入口面上の２つのポイント（例えば、２つの連続する突出したポイント）に接触する直線２８を示しており、これにより、直線２８は、入口面に当てられた直定規を表している。直線２８に対して垂直に測定された、直線２８が入口面と接触する２つのポイントの間に位置する１つのポイントにおける、直線２８とバレル面との間の距離“ｄ”は、ファン直径Ｄの少なくとも１．０％（例えば、ファン直径Ｄの１．５％）であることが示されている。
【００６７】
図２ｃは、図２ａのシュラウドバレル２２と、各ブレード４０の最も外側の部分によって通過される領域との、子午面における詳細な概略図である。バレル入口の軸方向範囲に位置するブレード先端部の部分Ｐ1は、前縁ＬＥと後縁ＴＥとの間のブレード先端部の軸方向範囲全体と等しい。非単調に変化する角度“θ”の領域は、少なくとも、部分Ｐ1と重なり合う入口の部分の軸方向範囲の最も上流の５０％にわたって延びている。非単調に変化する角度の領域の軸方向範囲に位置するブレード先端部の部分は、ブレード先端部の第２の部分Ｐ2として設計されている。
【００６８】
図２ｃにおけるブレード先端部４６の通過範囲は、段状の入口に合致するように段付けされており、半径方向間隙“ｇr”および軸方向間隙“ｇa”だけ入口からずれており、これらの間隙は、図示したように等しくても、または異なっていてもよい。特に、時には、ｇaをｇrよりも大きく設計することが有利である。これは、特にブレード先端部の予測される軸方向たわみが予測される半径方向たわみよりも大きい場合に有利である。ブレード先端部と入口との間の典型的な最小距離は、ファン直径Ｄの０．００５〜０．０２倍である。
【００６９】
図３ａは、図２ａのものと同様の自由先端部型軸流ファンアセンブリを示しているが、以下で説明されるような相違点を有する。上記の説明は、同じ特徴の開示について参照される。段状の入口２４２に合致するのではなく、ブレード先端部４６は、ファンブレード先端部に局所的に最も近いシュラウドバレル上のポイントを通過する包絡曲線に合致している。図２ａに示したように、ブレード先端部の前縁の（軸線６から測定された）半径方向範囲ＲLEは、ブレード先端部の後縁の半径方向範囲ＲTEよりも大きい。バレル２２の入口面は、図２ａ〜図２ｃのファンアセンブリの入口面と比較してより多数の段部を備えて形成されている。
【００７０】
図３ｂは、シュラウドバレル２２と、図３ａの各ブレード４０の最も外側の部分によって通過される領域との、子午面における詳細な概略図である。この例では、ファンブレード先端部に局所的に最も近いバレル上のポイントを通過する包絡曲線は、軸方向のセミ半径“ａ”および半径方向の半軸“ｂ”を備える楕円の一部を形成している。ブレード先端部の通過範囲は、包絡曲線からほぼ一定の距離“ｇ”だけずれた曲線である。この例では、“ｇ”は、ファン直径Ｄの約１．０％である。先端部座標“ｔ”は、ブレード前縁からブレード後縁までのブレード先端部の通過範囲に沿った距離とともに線形に増大する。ブレード先端部の通過範囲と、ファン軸線６の方向との間の、子午面における角度“Ψ”は、“ｔ”が増大すると単調に減少する。図３ｂに示された構成では、ブレード先端部の通過範囲は、角度“Ψ”が“ｔ”の連続的な関数であるという点で、滑らかな曲線である。その他の構成では、ブレード先端部の通過範囲は、角度“Ψ”が“ｔ”の連続的な関数ではないという点で、滑らかではないが、このような構成は、さらに、“ｔ”が増大すると単調に減少する角度“Ψ”を特徴とすることができる。
【００７１】
子午面に沿った断面図で見ると、入口面のスロープは、ポイント“Ａ”とポイント“Ｂ”との間で不連続であり（図３ｂ参照）、これらのポイントの間には、上記で規定された入口面とファン軸線の方向との間の角度“θ”が非単調に変化する領域が規定されている。入口の軸方向範囲に位置するブレード先端部の部分Ｐ1は、ブレード先端部の軸方向範囲全体である。ポイントＡおよびＢの間に位置する非単調に変化する角度“θ”の領域は、少なくとも、ブレード先端部の軸方向範囲と重なり合う入口の部分の軸方向範囲の最も上流の５０％にわたって延びている。非単調に変化する角度の領域の軸方向範囲に位置するブレード先端部の部分は、ブレード先端部の第２の部分Ｐ2として設計されている。
【００７２】
図３ｂは、入口面と交差することなく、ブレード先端部の軸方向範囲内にある２つのポイントにおいて入口面と接触する直線２８を示している。これは、入口面に当てられた直定規を表す。直線２８に対して垂直に測定された、直線２８が入口面と接触する２つのポイントの間に位置する１つのポイントにおける、この直線とバレル面との間の距離“ｄ”は、ファン直径Ｄの約０．５％であることが示されている。この特定の例では、この測定は、段部深さの最大値を表しており、同様の測定が、ブレード先端部４６の後縁ＴＥのより近くで行われたならば、距離はより小さくなる。この最大段部深さｄは、異なる入口設計を比較するための測定基準として使用することができる。ブレード先端部４６の軸方向範囲内の最大段部深さｄは、ファン直径Ｄの０．２％以上であることができ、幾つかの構成では、最大段部深さｄは、ファン直径Ｄの０．３％よりも大きいか、またはさらには０．４％よりも大きい。入口面に沿って設けることができる段部の数量に制限しているが、ブレード先端部４６の軸方向範囲内の最大段部深さｄは、ファン直径Ｄの０．５％よりも大きくてもよい。
【００７３】
図３ｂにおいて、距離“ｇ”は、局所的に最小であるポイントのみにおける間隙７の幅を表している。図３ｂは、距離“ｇ”がブレード前縁からブレード後縁まで一定である一例を示しているが、その他の実施の形態では、この距離にわたって変化することができる。特に、時には、ブレード先端部とシュラウドとの間の最小軸方向距離が、“ｇ”の一定の値の場合よりも大きくなるように設計される。これは、特にブレード先端部の予測される軸方向たわみが予測される半径方向たわみよりも大きい場合に有利である。ブレード先端部４６上で、局所的に最も近いポイントまでの距離“ｇ”の変化の範囲は、その平均値の±３０％未満であり、その平均値の±２０％未満であってもよい。距離“ｇ”の最小値は、ファン直径Ｄの０．００５〜０．０２倍であることができる。
【００７４】
距離“ｇ”は、ブレード先端部と、シュラウドにおける局所的に最も近いポイントとの間の間隙７の幅を表しているが、その他のポイントにおいて、間隙７は、寸法“ｇ”よりも著しく大きくてもよい。図３ｂの例では、ブレード先端部の通過範囲に対して垂直に測定された間隙７の幅は、２つの局所的に最も近いポイントの間の位置における寸法“ｇ”の局所的な値よりも５０％大きい。ブレード先端部４６に局所的に最も近いポイントの間の間隙７のこの局所的に最大の幅は、寸法“ｇ”の局所的な値よりも少なくとも２０％大きくてもよく、幾つかの構成では、寸法“ｇ”の局所的な値よりも少なくとも３０％または少なくとも４０％またはさらには少なくとも５０％大きい。
【００７５】
図３ｂに示されたブレード先端部４６は、包絡曲線を規定する楕円の全範囲にわたって延びており、ブレード先端部の後縁ＴＥの領域における段部の深さは小さい。しかしながら、入口は、ブレード先端部４６の後縁ＴＥに向かって軸方向範囲を有する入口の一部分にわたって滑らかである（すなわち、段状でない）ことができる。幾つかの態様において、段部は、ブレード先端部４６の軸方向範囲と重なり合う入口の部分の軸方向範囲の、少なくとも最も上流の５０％、より具体的にはその大部分にわたって、延びている。
【００７６】
図３ｃは、図３ａの自由先端部型軸流ファンアセンブリの（上流から下流を見た）平面図である。シュラウド２は、ほぼ矩形のプレナム壁２１と、プレナム壁の外縁から、図示されていない上流の熱交換器まで軸方向に延びる側壁２３とによって包囲された、ほぼ矩形のプレナム２０を有する。プレナムによってカバーされた熱交換器の領域は、ファン直径Ｄと等しい直径を有する円の領域として規定されたファンディスク領域の約２．１４倍である。シュラウドは、熱交換器における取付け特徴と係合するブラケット２９を特徴とする。シュラウドは、段状のバレル入口２４２と、モータ支持部２８の配列とを特徴とする。図３ｃは、１つのファンを備えるファンアセンブリを示しているが、その他の構成は、１つのシュラウドに複数のファンを有する。これらの構成において、熱交換器領域の関連する測定基準は、全てのファンの合計ディスク領域に対するその領域の比である。
【００７７】
図３ｃに示されたファン４の軸方向投影図は、図１ｃに示された従来の自由先端部型ファンのものと同じである。このファンは、ブレード根元部の近くで前方スイープを、ブレード先端部において後方スイープを有するが、その他の実施の形態は、スイープのその他の分配を有することができる。同様に、図２および図３のファンは、図１ａに示された従来のファンのものと同様のレーキ角分配を有するが、その他の実施の形態は、その他のレーキ角分配を有することができる。
【００７８】
図２および図３は、入口における全ての段部が、同じ軸方向範囲を有する軸方向の面と、変化する半径方向範囲の半径方向面とを有するファンアセンブリを示している。その他の実施の形態では、全ての段部は、同じ半径方向範囲を有する半径方向の面と、変化する軸方向範囲の軸方向の面とを有する。さらに別の可能性は、包絡曲線に対して垂直な深さを全ての段部において一定にすることである。その他の構成も可能である。
【００７９】
図４ａは、シュラウドバレル２２と、ブレード４０の外側部分の通過領域との、子午面における詳細な概略図であり、この場合、図３ａに示したように、ファンブレード先端部に局所的に最も近いバレル上のポイントを通過する滑らかな包絡曲線は、軸方向のセミ半径“ａ”および半径方向の半軸“ｂ”を備える楕円２３の一部を形成している。この場合、ブレード先端部４６の軸方向範囲は、楕円２３の軸方向半軸よりも小さく、ブレード先端部の後縁ＴＥは、距離“Ｘ”だけ、楕円半径方向軸線の上流にある。これにより、ブレード先端部の後縁ＴＥの近くの段部は、図３ｂのファンのブレード先端部後縁ＴＥの近くの段部よりも、深く、より効果的となる。ブレード先端部後縁ＴＥの下流の入口の部分は、滑らかであり、段部を有さない。このファンアセンブリの性能は、ブレード先端部後縁の下流の段部を延長させることによって、著しく高められないことがある。
【００８０】
図４ｂは図４ａと同様であるが、この例では、バレル２２は、ファンの後縁ＴＥの近くで終わっている。この構成は、多くの場合、図３ａに示されたモータ支持構造２８の間の周方向位置において使用されている。
【００８１】
図４ｃは、ブレード先端部４６の軸方向範囲が、入口における最も近いポイントを通って包絡曲線を規定する楕円２３の軸方向のセミ半径“ａ”よりも小さい場合も示している。この場合、ファンは、先端部後縁ＴＥが楕円２３の半径方向半軸“ｂ”上に配置されるように位置決めされており、ブレード先端部の前縁ＬＥは、距離“Ｙ”だけシュラウドバレル２２へのエントランスの下流に配置されている。段部は、ブレード先端部の前縁ＬＥの前方へ延びており、少なくとも、ブレード先端部４６の前縁ＬＥの上流に位置する、入口の第２の部分の軸方向範囲の最も下流の５０％をカバーしている。このファンアセンブリの騒音性能は、段部がブレード先端部の前縁ＬＥの前方へ延びていない同様のアセンブリのものよりも、著しく良好である。
【００８２】
図３ｂおよび図４ａ〜図４ｃにおける包絡曲線は楕円の一部を形成しているが、その他の形状も良好な結果を生じることができる。幾つかの実施の形態では、包絡曲線の座標は、ブレード先端部４６に局所的に最も近いポイントであるシュラウド上のポイントに対応するノットを通るスプライン曲線として形成されている。これらの“局所的に最も近い”ポイントは、図５ａに特定されている。
【００８３】
図５ｂは、最も近いポイントの間において線形の包絡線を示している。包絡線は、この包絡線の長さに沿って線形に増大する胴回り座標“ｓg”も規定している。このような包絡線は、包絡線とファン軸線６の方向との間の、子午面における角度が、“ｓg”が増大すると単調に減少するという性質を有している。
【００８４】
図５ｃは、そのノットが入口の最も近いポイントの軸方向および半径方向の座標でありかつその独立した変数が座標“ｓg”である三次スプラインをたどる軸方向および半径方向座標を有する滑らかな包絡曲線を示している。これらのスプラインの最終条件は、滑らかな包絡曲線が、非単調な角度変化の領域の外側でシュラウド面と混合するようになっている。
【００８５】
図５ｄは、図５ｃの滑らかな包絡曲線から一定の距離だけずれた曲線を示しており、図５ｅは、ブレード先端部の通過範囲が、ずれた曲線をたどっている、ファンブレードの通過領域を示している。
【００８６】
図２、図３、図４および図５は、軸方向および半径方向の面を有する段部を備える段状のバレル入口を示しているが、その他のジオメトリも有効である。図６ａは、図２〜図５においては軸方向である、入口の部分において抜き勾配を有する段状のバレル入口２４２を示している。示された抜き勾配は５度である。抜き勾配は、プラスチック部品の成形性を高めることができ、ファンアセンブリの性能を著しい程度にまで妥協しない。
【００８７】
図６ｂは、段部の外側の角、つまりブレード先端部に最も近い角が、半径づけられている、段状のバレル入口２４２を示している。角を半径づけることは、鋭い角を備える段状のバレルに対して、性能の小さな損失を生じるが、その損失は、包絡曲線が、角の半径の効果を有するように再規定され、ブレード先端部４６と包絡曲線との間のずれが維持されるならば、最小限に減じられる。
【００８８】
図６ｃは、段部の内側の角が半径づけられている、段状のバレル入口２４２を示している。成形されたプラスチック部材の場合、このような半径の利点は、溶融したプラスチックが製造中に成形機をより容易に充填することができるということである。このような半径は、半径づけられた角を有さない段状のバレルに対して、性能の損失を生じる可能性があるが、この損失は、半径が、図６ｂに示したように外側の角に適用された段状の入口の場合よりも、概して小さい。
【００８９】
図６ａ〜図６ｃは、成形された部材の製造性を高め得る、段状のバレル入口の変更を示している。それらは、これらの変更または同様の変更のあらゆる組合せを同じシュラウドバレルにおいて使用することができるという点で、相互に排他的ではない。
【００９０】
図６ｄは、軸方向溝を有するバレル入口２４２を示している。拡大図は、入口面座標“ｓ”を示しており、この入口面座標は、入口がプレナム壁２１につながるところではゼロであり、入口プロフィルに沿った距離とともに線形に増大する。図２〜図５の段状の入口の場合のように、“ｓ”が増大すると、半径方向寸法は、減少するか、または一定に保持される。しかしながら、段状の入口の場合とは異なり、“ｓ”が増大すると、軸方向寸法（正の下流）は、必ずしも増大しないかまたは一定のままである。その代わり、減少する可能性もある。図６ｄに示したように軸方向溝を含むことは、滑らかなフレア状のシュラウド入口を備えるファンアセンブリと比較したとき、自由先端部型軸流ファンアセンブリの性能を高めることができる。
【００９１】
図６ｅは、段部が連続的ではなく、滑らかなフレア状のシュラウドの部分によって分離されている、段状のバレル入口２４２を示している。概して、このような構成は、段部が連続的である構成よりも、有効でない。これは、連続的に段付けされた入口に対する、軸方向溝を備える入口の性能不足の幾つかを補償し得る。
【００９２】
図６ｆは、段状の入口の非軸方向の面が半径方向ではなく、その代わり、子午面において、半径方向に対して鋭角（例えば、３０度の角度）を形成している構成を示している。４つの段部の角度付けられた部分の半径方向範囲は、この例において一定である。この構成は、溝付きの入口の付加的な深さと、段付けされた入口の連続的な性質とを提供する。滑らかなフレア状の入口よりも優れているが、このような構成は、段部の面が互いに対してほぼ垂直である構成よりも、有効でないことがある。
【００９３】
図４、図５および図６は、シュラウドバレルの内面のみを示している。バレルの外側は、幾つかの場合、図２ａおよび図３ａに示したように、内側の形状に従うことができる。図７ａは、その内面が図４ｂに示されているシュラウドバレルの、子午面断面図である。この例では、外面は、内面からほぼ一定の大きさだけずらされている。図７ｂは、外側の角が半径づけられているシュラウドバレルの子午面断面図を示している。これは、使用される材料の量を減じ、射出成形されたシュラウドの場合、製造中のプラスチックの流動を高め得る。成形性をさらに高めるために、外面および内面における内側の角も半径づけることができ、外面および内面の両方に抜き勾配を適用することができる。
【００９４】
シュラウドにおける段部が比較的浅い場合、択一的なアプローチは、バレルの外側を滑らかな面にすることである。これは、図７ｃに示されている。この例における全ての段部は、楕円形の包絡曲線に対して垂直な同じ深さを有する。内側の角は、成形機内へのプラスチック材料の流動を高めるように、半径づけられている。
【００９５】
図８ａは、米国特許出願公開第２０１４／０２７１１７２号明細書によるファンの負圧面と、本願の１つの実施の形態による段付きバレル入口との、軸方向図である。この図において、ファンは反時計回りに回転する。図８ｂは、図８ａに示したように、ブレード先端部における最大厚さのポイントに対応する角度における、ブレードおよびバレル入口の子午面断面図である。バレル入口は、図７ａに示されたものと同じである。図８ｃは、図８ｂの先端部領域の詳細図であり、ブレード先端部を超えて漏れる流れと、流れ剥離の領域において生ぜしめられる渦との概略図を含んでいる。ブレードの正圧面が間隙への入口につながる分離された領域に加えて、付加的に、シュラウド入口の各段部の半径方向の面において流れの剥離が生じる。これらの分離されたゾーンは、先端部間隙を通る流れを減じることがあり、加えて、先端部渦を複数のより小さな渦に分裂させるように機能してもよく、これらのより小さな渦は、１つの渦よりも迅速に消散することがあり、これにより、後続のブレードとの相互作用をより少なくする。ブレードが通過した後、先端部渦は、シュラウドに沿って上流方向へ流れを誘発し続ける可能性があるので、図示された分離ゾーンは、大きな周方向範囲にわたって存在することができる。これらの分離されたゾーンの存在は、非定常圧力場によりシュラウドによって放射される騒音を減じることがある。先端部渦が下流へ移動した、ブレードの間の領域において、段状の面に沿った流れは下流方向へ移動し、分離ゾーンは軸方向の面へシフトし、逆の符号の渦が発生される。
【００９６】
図９ａは、段部が軸対称である、図８ａ〜図８ｃの自由端部型ファンおよび段付きバレル入口の透視図である。図９ｂは、図８ａ〜図８ｃの自由端部型ファンと、段部が非軸対称でかつらせん状である段付きバレル入口との、同じ図である。このシュラウドバレル２２の子午面断面図は、図９ａのものにとても類似した段状の輪郭を有するが、段部の軸方向位置は、ファン軸線を中心とする周方向位置とともに変化している。図示されたらせん状の段部は、ブレードピッチのらせんとは逆の向きを有するが、その他のらせん状バレル段部は、ブレードピッチのらせんと同様の向きを有することができる。非軸対称の段状のバレル入口は、滑らかなフレア状の入口と比較して著しい騒音減少を生じることができるが、軸対称の段部を備える入口よりも必ずしも優れているわけではない。
【００９７】
本明細書に開示された構成のうちのいずれかによる入口ジオメトリのいずれかを、シュラウドの周方向範囲全体（すなわち３６０度の方位角範囲全体）にわたって設けることができることにも留意すべきである。しかしながら、幾つかの場合、説明された入口ジオメトリは、周方向範囲全体に満たない範囲に設けられてもよい。このような場合、説明された入口ジオメトリは、周方向範囲の実質的な部分（すなわち、少なくとも３３％）にわたって存在してもよい。幾つかの構成では、説明されたジオメトリは、周方向範囲の少なくとも大部分（すなわち、方位角の１８０度を超えて）にわたって、幾つかの場合には、実質的により多く（例えば、６７％、８０％、９０％、９５％または９９％）存在してもよい。
【００９８】
図１０は、シュラウドバレルへの入口が滑らかなフレア状である点においてのみ異なる従来のファンアセンブリの性能（点線のプロット）と比較した、本願の１つの実施の形態によるファンアセンブリの性能（実線のプロット）を示している。ファン直径は３７５ｍｍである。両ファンの作動速度は、自動車が停止している車両“アイドル”条件を表す２００Ｐａの圧力において、０．７ｍ3／ｓの設計上の流れを達成するように調節されている。従来のアセンブリにおけるファンの速度は２７６０ｒｐｍであり、本願によるファンアセンブリの速度は２７３６ｒｐｍである。圧力曲線における小さな円によって示された設計点では、本願によるファンアセンブリは、従来のファンよりも２．０ｄＢだけ静粛である。その効率は、１．２ポイント高い。より高圧の作動点において、騒音低減は著しくより大きくなる。
【００９９】
図１１は、図１０のデータと同じデータを、ただし異なる変数の観点から示している。この場合、横座標は、動圧によって割った静圧に比例する、システム抵抗係数である。右側の縦座標は、比騒音であり、これは、排出された空気パワーおよびファンディスク領域を考慮する測定された騒音を正規化する。基準ファンアセンブリの騒音レベルは、２．５と４．５のシステム係数の間で劇的に増大している。これを、“騒音壁”と呼ぶことができる。騒音壁の位置を、比騒音が７０ｄＢを超えるシステム係数として規定するならば、段状の入口の効果は、騒音壁を２８．６％だけ移動させる。これは、極めて著しい増大である。段状のシュラウドにより、自由先端部型ファンは、滑らかなフレア状のバレル入口を備える場合よりも著しく大きなシステム抵抗を有する用途において使用することができる。
【０１００】
図１２ａは、段部が方位角方向で不連続である、米国特許出願公開第２０１４／０２７１１７２号明細書によるファンの負圧面と、段付きバレル入口との軸方向図である。段状の入口形状がバレル入口の選択された方位角部分のみにわたって適用されているにもかかわらず、シュラウドバレル入口の全周が段状である実施の形態と同様の利点が残っている。バレル入口が部分的にのみ段状である場合、段状の部分は、方位角の１つの範囲であるか、または、図１２ａの場合のように、方位角の複数の小さな範囲であることができる。要するに、段状の部分は、入口の大きな方位角部分または領域（すなわち、方位角の１８０度よりも大きい）を形成していてもよい。図１２ｂは、図１２ａに示したように、ブレード先端部における最大厚さのポイントに対応する角度における、ブレードおよびバレル入口の子午面断面図であり、この断面図は、当該断面図が複数の段部を含むように成形されたポイントにおいて、シュラウドバレル入口を通過している。各段状部分は、図８ａ〜図８ｃに示された形状を備えて示されているので、上記説明が参照される。しかしながら、択一的な構成において、個々の段状部分は、本明細書に規定されたあらゆるその他の構成に従って成形することができる。図１２ｃは、シュラウドバレル入口の一部の透視図である。
【０１０１】
図１３ａは、米国特許出願公開第２０１４／０２７１１７２号明細書によるファンの負圧面と、ポケット（例えば、円形のポケット）の互い違いの列を有するバレル入口との軸方向図である。各ポケットは、ファン軸線に対して平行に延びる軸線を規定しているか、またはファン軸線に対して平行な主要な成分を有している。図１２ａに示されたシュラウドバレル入口は、方位角方向で不連続な段部を有するのに対し、図１３ａのバレル入口は、不連続な軸方向溝を表していると考えることができる。これは、図１３ｂおよび図１３ｃに見ることができる。図１３ｂは、図１３ａに示したように、ブレード先端部における最大厚さのポイントに対応する角度において、ブレードおよびバレル入口を通る子午面断面図であり、この場合、この断面図は、入口面が、より早期の実施の形態に関連して説明したように非単調に変化する角度“θ”の領域を規定するように、２つのポケットを通過している。この断面図は、図６ｄに示された軸方向溝の断面図と似ているが、図６ｄは、より多くの成形された特徴を有する。図１３ｃは、１つのポケットを通るような角度において、ブレードおよびバレル入口を通る子午面断面図である。全ての構成において必要とされるわけではないが、（子午面断面図において）複数のポケットが規定されている部分は、全体として見ると、バレル入口の大きな方位角部分または領域（すなわち、方位角の１８０度よりも大きい）を占めていることができる。
【０１０２】
米国特許第６５９５７４４号明細書、米国特許第８１３７０７０号明細書、米国特許第９００４８６０号明細書および米国特許出願公開第２０１４／０２７１１７２号明細書の内容は全て、引用したことにより本明細書に組み込まれる。米国特許第６５９５７４４号明細書には、傾斜した自由先端部型ファンの軸方向たわみを減じることができるレーキ角分配が記載されており、米国特許第８１３７０７０号明細書は、自由先端部型ファンの半径方向たわみを減じるスキュー分配を開示している。これらの両特徴は、自由先端部型ファンアセンブリの所要の設計上の先端部間隙を減じることができる。米国特許第９００４８６０号明細書は、ブレード先端部荷重に対する先端部間隙の効果に反作用するように作用する、ブレード反りおよびブレード角度の変化を開示している。米国特許出願公開第２０１４／０２７１１７２号明細書は、ブレード先端部において増大したブレード厚さを有するファンを開示しており、これは、騒音および効率における先端部間隙の不利な効果を減じる。本願の態様の多くは、ブレードジオメトリへのいかなる変化も伴わないので、ファンアセンブリは、有利には、本願の特徴に加えて、引用によって組み込まれたこれらの文献のいずれかに開示された特徴のあらゆる組合せを組み込むことができる。さらに、本願の特徴は、その他の公知のタイプの付加的な自由先端部型ファンブレードジオメトリとともに使用されてもよいことが理解されるであろう。
【０１０３】
本願の１つまたは複数の態様による特性を有するファンアセンブリは、前方に傾斜させられていることができるか、後方へ傾斜させられていることができるか、または混合された傾斜の設計であることができる。同様に、本願の１つまたは複数の態様によるファンアセンブリは、あらゆる数のブレード、ブレード角度、反り、弦またはレーキ角のあらゆる分配を有することができ、プッシャまたはプラー構成のいずれかであってもよい。
【図１ａ】
0006576466.tif 000002
【図１ｂ】
0006576466.tif 000003
【図１ｃ】
0006576466.tif 000004
【図２ａ】
0006576466.tif 000005
【図２ｂ】
0006576466.tif 000006
【図２ｃ】
0006576466.tif 000007
【図３ａ】
0006576466.tif 000008
【図３ｂ】
0006576466.tif 000009
【図３ｃ】
0006576466.tif 000010
【図４Ａ】
0006576466.tif 000011
【図４Ｂ】
0006576466.tif 000012
【図４Ｃ】
0006576466.tif 000013
【図５ａ】
0006576466.tif 000014
【図５ｂ】
0006576466.tif 000015
【図５ｃ】
0006576466.tif 000016
【図５ｄ】
0006576466.tif 000017
【図５ｅ】
0006576466.tif 000018
【図６ａ】
0006576466.tif 000019
【図６ｂ】
0006576466.tif 000020
【図６ｃ】
0006576466.tif 000021
【図６ｄ】
0006576466.tif 000022
【図６ｅ】
0006576466.tif 000023
【図６ｆ】
0006576466.tif 000024
【図７ａ】
0006576466.tif 000025
【図７ｂ】
0006576466.tif 000026
【図７ｃ】
0006576466.tif 000027
【図８ａ】
0006576466.tif 000028
【図８ｂ】
0006576466.tif 000029
【図８ｃ】
0006576466.tif 000030
【図９Ａ】
0006576466.tif 000031
【図９Ｂ】
0006576466.tif 000032
【図１０】
0006576466.tif 000033
【図１１】
0006576466.tif 000034
【図１２ａ】
0006576466.tif 000035
【図１２ｂ】
0006576466.tif 000036
【図１２ｃ】
0006576466.tif 000037
【図１３ａ】
0006576466.tif 000038
【図１３ｂ】
0006576466.tif 000039
【図１３ｃ】
0006576466.tif 000040
【図１３ｄ】
0006576466.tif 000041